(57)【特許請求の範囲】
【請求項１】
凹曲面からなる一つのガイドウエイを有するベースと、当該ガイドウエイ上を移動する作動部をその下方部に有する背当部フレームと、一方の端部側が上記ベースの一部に形成されたサポート部材の先端部のところをスライド移動可能なように設けられるとともに、もう一方の端部側が上記背当部フレームの作動に連動して作動するように形成された座部フレームと、上記背当部フレームの下方部のところに形成された上記作動部と上記座部フレームとの間を連結するとともに、上記作動部の動きを上記座部フレーム側へ伝達する役目を果たすリンク機構と、上記作動部の下方部のところに連結されるものであって当該作動部を上記ガイドウエイ上にて駆動するように形成されたアクチュエータと、からなるものにおいて、上記リンク機構を、上記背当部フレームの下方部に形成された作動部の一部であって上記ガイドウエイ上を転動運動するホイールの設けられるところから所定量隔たったところに形成される取付点のところに一端が回転自在なように設けられる連結部材と、当該連結部材のもう一方の端部側が固着されるものであって上記ベースの一部に設けられたレール上をスライド移動可能なように形成されたスライダと、当該スライダ内にて転動運動が可能なように設けられるものであって上記スライダのスライド運動に応じて上記レール上を転動移動するように形成されたローラと、当該ローラをその一端側に有するとともに、もう一方の端部側が上記座部フレームの背当部フレーム側に形成された端部のところに相対回転運動可能なように連結されるナックルリンクと、からなるようにしたことを特徴とする多機能チェア。
【発明の詳細な説明】
【技術分野】
【０００１】
本発明は、患者の診察または治療等に用いられるものであって、ヘッドレスト及び背もたれ部の傾斜角を自由に変えることのできるようにした多機能チェアに関するものである。
【背景技術】
【０００２】
従来の多機能チェアとしては、例えば特開２００２−１７４９６号公報または特開２００２−２９１５６５号公報記載のものの如く、背もたれ部の後方への傾倒（リクライニング）に伴って足載せ台が上昇し、これによって、椅子全体がほぼ水平な状態となるようにしたフルフラット式のものが挙げられる。
【先行技術文献】
【特許文献】
【０００３】
【特許文献１】特開２００２−１７４９６号公報
【特許文献２】特開２００２−２９１５６５号公報
【発明の概要】
【発明が解決しようとする課題】
【０００４】
ところで、上記従来のものは、いずれのものも、背もたれ部の傾倒作動（リクライニング）が、当該背もたれ部の下端部に設けられた取付点を基点にしての円弧運動にて形成されるようになっているものである。そして、このような背もたれ部のリクライニング作動中において、着座者の背部と上記背もたれ部の表面との間においては相対的な滑り運動が生ずることとなる。その結果、チェアの状態からベッドの状態へのリクライニング移行時に生ずる枕と頭部との位置ズレや、ベッド状態からチェア状態への移行の際に腹部への圧迫現象等の生ずるおそれがある。このような問題点を解決するために、上記のような相対滑りの生じないようにした、可倒式の多機能チェアを提供しようとするのが、本発明の目的（課題）である。
【課題を解決するための手段】
【０００５】
上記課題を解決するために、本願発明においては次のような手段を講ずることとした。すなわち、請求項１記載の発明である第一の発明においては、背当部を立てた状態の椅子として、または背当部をねかせた状態のベッドとして、も利用することのできるようにした多機能チェアに関して、凹曲面からなる一つのガイドウエイを有するベースと、当該ガイドウエイ上を移動する作動部をその下方部に有する背当部フレームと、一方の端部側が上記ベースの一部に形成されたサポート部材の先端部のところをスライド移動可能なように設けられるとともに、もう一方の端部側が上記背当部フレームの作動に連動して作動するように形成された座部フレームと、上記背当部フレームの下方部のところに形成された上記作動部と上記座部フレームとの間を連結するとともに、上記作動部の動きを上記座部フレーム側へ伝達する役目を果たすリンク機構と、上記作動部の下方部のところに連結されるものであって当該作動部を上記ガイドウエイ上にて駆動するように形成されたアクチュエータと、からなるものにおいて、上記リンク機構を、上記背当部フレームの下方部に形成された作動部の一部であって上記ガイドウエイ上を転動運動するホイールの設けられるところから所定量隔たったところに形成される取付点のところに一端が回転自在なように設けられる連結部材と、当該連結部材のもう一方の端部側が固着されるものであって上記ベースの一部に設けられたレール上をスライド移動可能なように形成されたスライダと、当該スライダ内にて転動運動が可能なように設けられるものであって上記スライダのスライド運動に応じて上記レール上を転動移動するように形成されたローラと、当該ローラをその一端側に有するとともに、もう一方の端部側が上記座部フレームの背当部フレーム側に形成された端部のところに相対回転運動可能なように連結されるナックルリンクと、からなるようにした構成を採ることとした。
【発明の効果】
【０００８】
請求項１記載の発明である第一の発明のものにおいては、アクチュエータを作動させることによって、背当部フレームの、その下方部に形成された作動部のところがガイドウエイト上を移動することとなる。このような作動部の作動によって、背当部フレームの傾倒運動が形成されることとなる。すなわち、上記アクチュエータの作動に基づいて、背当部フレームが起立した状態の椅子（チェア）の状態が形成されることとなる。また、一方、これとは反対に、上記アクチュエータの作動に基づき上記作動部が移動することにより、背当部フレームが水平状態へと移動することとなる。そして、このような展開時において、本発明のものにおいては、上記背当部フレームと座部フレームとは、リンク機構を介して連結されるようになっていることより、上記背当部フレームが水平状態になると、この背当部フレームの面は上記座部フレームの面と略同一の面を形成するようになる。その結果、本発明のものにおいては、上記背当部フレームと座部フレームとにてフルフラットなベッドとしての面が形成されることとなる。このように、本発明のものにおいては、上記アクチュエータの作動に基づき、上記背当部フレームを傾倒あるいは起立させることによって、全体を椅子（チェア）の状態または水平なベッドの状態へと円滑に変換させることができるようになる。そして、このとき、使用者（着座者）と背当部フレームとの間において、相対的な位置ズレを生じさせるようなことがなくなる。
【０００９】
また、本発明のものにおいては、椅子（チェア）の状態からベッドの状態への移行を円滑に行なわせることができるようになる。すなわち、本発明のものにおいては、上記背当部フレームと座部フレームとの間を連結するリンク機構が、ナックルリンク、スライダ等にて形成されるようになっており、上記背当部フレームの傾動運動時において、上記背当部フレームの下方部が座部フレームへと近づくようになる。その結果、背当部フレームが水平状態に傾倒して座部フレームと同一平面を形成するようになった、いわゆるベッド形成時において、背当部フレームと座部フレームとの連結点周りに不要な隙間等の生ずるようなことがなくなる。また、このような背当部フレームの作動により、使用者（着座者）とチェア（ベッド）との間において、相対的な位置ズレが少なくなり、その結果、使用者の上着の背部がめくれ上がると言うような不具合の生ずることも無くなる。
【００１０】
また、本発明のものにおいては、背当部フレームの傾動運動時において、着座者の体と椅子（チェア）との間における位置ズレ現象等を回避することができるようになる。特に、本発明のものにおいて、背当部フレームの下方部に形成される作動部の上記ガイドウエイ上における移動が、所定の曲率半径を有する円弧状の通路上にて形成されるようになした場合、上記背当部フレームの傾動運動はより円滑に行なわれるようになる。その結果、椅子（チェア）の状態からベッドの状態への変更が円滑に行なわれるようになり、着座者の姿勢変更も、より円滑に行なわれることとなる。
【図面の簡単な説明】
【００１１】
【図１】本発明の全体構成を示すものであって背当部が起立した椅子の状態を示す図である。
【図２】背当部が起立状態から水平状態へと移行する中間の状態を示す図である。
【図３】背当部が水平に倒されたベッドの状態を示す図である。
【発明を実施するための形態】
【００１２】
本発明を実施するための形態について、図１ないし図３を基に説明する。本実施の形態にかかるものは、例えば図１に示す如く、凹曲面からなるガイドウエイ５を有するベース９と、上記ガイドウエイ５上を移動する作動部１１を、その下方部に有する背当部フレーム１と、一方の端部２９側が上記ベース９の一部に形成されたサポート部材９１の先端部９２のところに相対回転運動可能なように取付けられるとともに、もう一方の端部２１側が上記背当部フレーム１の作動に連動して作動するように形成された座部フレーム２と、上記背当部フレーム１に形成された作動部１１と上記座部フレーム２との間を連結するとともに、上記作動部１１の動きを上記座部フレーム２側へ伝達する役目を果たすリンク機構３と、上記背当部フレーム１の下方部に形成される作動部１１の、更にその下端部１１１のところに連結されるものであって上記作動部１１を上記ガイドウエイ５上にて駆動するように形成されたアクチュエータ７と、からなることを基本とする。
【００１３】
このような基本構成からなるものにおいて、上記リンク機構３は、上記背当部フレーム１に形成された作動部１１の一部であって上記ガイドウエイ５上を転動運動するホイール１５の取付けられるところから所定量隔たったところに一端が回転自在なように設けられる連結部材３１と、当該連結部材３１のもう一方の端部側が固着されるものであって上記ベース９の一部に設けられたレール６上をスライド移動可能なように形成されたスライダ６３と、当該スライダ６３のところに転動運動が可能なように設けられるローラ３３を、その一端側に有するとともに、もう一方の端部側が上記座部フレーム２の一方の端部２１のところに相対回転運動可能なように連結されるナックルリンク３２と、からなるものである。
【００１４】
なお、このような構成からなるものにおいて、上記ガイドウエイ５は、所定の曲率半径を有する円弧の一部にて形成されるようになっているものである。また、上記アクチュエータ７は、電動モータ７７にて駆動される構成からなるものであり、この電動モータ７７は制御手段８にて、その作動が制御されるようになっているものである。更には、上記構成からなるものにおいて、上記背当部フレーム１の上面側には所定の弾発力を有するパッド１８が設けられるとともに、座部フレーム２の上面側には所定の弾発力を有するクッション２８が設けられるようになっている。
【００１５】
このような構成を採ることにより、本実施の形態のものにおいては、上記アクチュエータ７を作動させることによって、背当部フレーム１の、その下方部に形成された作動部１１のところがガイドウエイト５上を移動することとなる。具体的には作動部１１の下端部に設けられたホイール１５が上記ガイドウエイ５上を転動運動することとなる。これによって、背当部フレーム１の傾倒運動が形成されることとなる。すなわち、上記アクチュエータ７の作動、具体的には電動モータ７７の作動に基づいて、背当部フレーム１が起立した状態の椅子（チェア）の状態が形成されることとなる。また、一方、これとは反対に、上記アクチュエータ７の作動に基づき上記作動部１１が移動することにより、例えば図２、図３に示す如く、背当部フレーム１が水平状態へと移動することとなる。そして、このような展開時において、本発明のものにおいては、上記背当部フレーム１と座部フレーム２とは、リンク機構３を介して連結されるようになっていることより、上記背当部フレーム１が、例えば図３に示す如く、水平状態になると、この背当部フレーム１の面は上記座部フレーム２の面と略同一の面を形成するようになる。その結果、本実施の形態のものにおいては、上記背当部フレーム１と座部フレーム２とにてフルフラットなベッドとしての面が形成されることとなる。このように、本実施の形態のものにおいては、上記アクチュエータ７の作動に基づき、上記背当部フレーム１を傾倒あるいは起立させることによって、全体を椅子（チェア）の状態または水平なベッドの状態へと円滑に変換させることができることとなる。
【００１６】
これらに加えて、更に、本実施の形態のものにおいては、上記背当部フレーム１と座部フレーム２との間を連結するリンク機構３が、ナックルリンク３２、スライダ６３等にて形成されるようになっており、上記背当部フレーム１の傾動運動時において、上記背当部フレーム１の下端部側が座部フレーム２へと近づくようになる。その結果、背当部フレーム１が水平状態に傾倒して座部フレーム２と同一平面を形成するようになった、いわゆるベッド形成時において（図３参照）、背当部フレーム１と座部フレーム２との連結点周りに不要な隙間等の生ずるようなことがなくなる。また、このような背当部フレーム１の作動により、使用者（着座者）の上着の背部がめくれ上がると言うような不都合の生ずることも無くなる。
【００１７】
また、本実施の形態のものにおいては、上記背当部フレーム１の傾動運動時において、背当部フレーム１の下方部に形成される作動部１１の上記ガイドウエイ５上における移動、具体的にはホイール１５のガイドウエイ５上における転動運動が、所定の曲率半径を有する円弧状の通路上にて形成されるようになっていることより、上記背当部フレーム１の傾動運動は、より円滑に行なわれるようになる。その結果、椅子（チェア）の状態からベッドの状態への変更が円滑に行なわれるようになり、着座者の姿勢変更も、より円滑に行なわれることとなる。
【符号の説明】
【００１８】
１  背当部フレーム
１１  作動部
１１１  下端部
１２  取付点
１５  ホイール
１８  パッド
２  座部フレーム
２１  もう一方の端部
２８  クッション
２９  一方の端部
３  リンク機構
３１  連結部材
３２  ナックルリンク
３３  ローラ
５  ガイドウエイ
６  レール
６３  スライダ
７  アクチュエータ
７７  電動モータ
８  制御手段
９  ベース
９１  サポート部材
９２  先端部
【図１】
0006587378.tif 000002
【図２】
0006587378.tif 000003
【図３】
0006587378.tif 000004